(57)【要約】【課題】滑り止め構造を有するモンキーレンチを提供する。【解決手段】本考案によるモンキーレンチは主にハンドルと滑り止め構造を含む。ハンドルは、その表面には、二つの握り面及び該二つの握り面に隣接した側面が形成され、その端部には、スクリューを回すための駆動ヘッドが設けられる。滑り止め構造は、不規則の紋を有し、ハンドルの握り面に設けられ、ユーザの親指と人さし指との間に無方向性の摩擦抵抗力を提供する。【選択図】図１
0003129291.tif 000002
【実用新案登録請求の範囲】
【請求項１】
ハンドルと、当該ハンドルに設けられる滑り止め構造と、を含み、
前記ハンドルの表面には、二つの握り面及び二つ側面が形成され、前記ハンドルの少なくとも一つの端部には、スクリューを回すための駆動ヘッドが設けられ、
前記滑り止め構造は、凹凸紋を有し、前記二つの握り面に設けられ、前記滑り止め構造の両側は、それぞれ、前記握り面と前記側面との隣接箇所まで延伸する、
モンキーレンチ。
【請求項２】
前記滑り止め構造は、前記駆動ヘッドに近い領域に設けられる、
請求項１に記載のモンキーレンチ。
【請求項３】
前記滑り止め構造は、前記駆動ヘッドと前記握り面との接続箇所から、前記ハンドルの中段へ向かって延伸し所定の距離を有し、当該距離は、親指の平均長さより大きい又は等しい、且つ、親指の平均長さの両倍より小さい又は等しい、
請求項２に記載のモンキーレンチ。
【請求項４】
前記滑り止め構造は、前記駆動ヘッドと前記握り面との接続箇所から、前記ハンドルの中段へ向かって延伸し所定の距離を有し、当該距離は、前記ハンドル全体長さの四分の一である、
請求項２に記載のモンキーレンチ。
【請求項５】
前記握り面の広さは、前記側面の広さより大きい、
請求項１に記載のモンキーレンチ。
【請求項６】
前記二つの握り面は、前記駆動ヘッドの二つの水平面に対応し、前記二つの側面は、前記駆動ヘッドの外周側弧面に対応する、
請求項５に記載のモンキーレンチ。
【請求項７】
前記滑り止め構造は、規則形状の幾何図形であり、不規則状の凹凸紋を有する、
請求項１に記載のモンキーレンチ。
【請求項８】
前記滑り止め構造は、不規則形状の幾何図形であり、不規則状の凹凸紋を有する、
請求項１に記載のモンキーレンチ。
【請求項９】
前記滑り止め構造は、不規則形状の幾何図形であり、規則状の凹凸紋を有する、
請求項１に記載のモンキーレンチ。
【請求項１０】
前記握り面は凸弧面であり、前記側面は平面である、
請求項７乃至９のいずれかに記載のモンキーレンチ。
【請求項１１】
前記握り面と前記側面との隣接箇所には、隙間がある、
請求項１０に記載のモンキーレンチ。
【請求項１２】
前記ハンドルの両端には、それぞれ、一つの駆動ヘッドが設けられる
請求項１に記載のモンキーレンチ。
【請求項１３】
前記ハンドルの一端には駆動ヘッドが設けられ、前記ハンドルの他の一端には前記ハンドルの保護カバーが設けられる、
請求項１に記載のモンキーレンチ。
【請求項１４】
前記駆動ヘッドの中には回し作動部が設けられ、当該回し作動部は開口形態、六角形態またはラチェット形態を含む形態を採用する、
請求項１２又は１３に記載のモンキーレンチ。
【考案の詳細な説明】
【技術分野】
【０００１】
本考案は、滑り止め構造を持つモンキーレンチに関し、特に、ハンドルに滑り止め構造を直接設けるモンキーレンチに関する。
関する。
【背景技術】
【０００２】
モンキーレンチはツールの範疇における民生用需要品に属する。台湾のツール工業に生産されるモンキーレンチは世界の牛耳を執る。モンキーレンチの種類は様々があると同時に、特許の件数も数百以上あるので、業界から見ると、だんだん狭い範疇になる。いずれの創意、改善は皆、微小の変更だけであり、開拓発展の路線が確かに容易だと言えない。ところが、微小の改善はやはりユーザにとって、貢献があり、得がたく貴い殊勝だと分かる。
【０００３】
台湾第M240308号特許は、滑り止めハンドルの保護カバーを具有するラチェットモンキーレンチであり、主に、モンキーレンチの本体１０及び滑り止めハンドルの保護カバー２０を含む。モンキーレンチの本体１０の中段には、ハンドル１１が凹むように設けられる。鋳型の方式で、滑り止めハンドルの保護カバー２０を一体化のように、ハンドル１１に成型する。また、滑り止めハンドルの保護カバー２０に、規則の凹凸の滑り止め段を設ける。
【０００４】
しかし、前述した従来構造には数多の欠点がある。実際に、全然締められていないスクリューを回すときに、仮に、ラチェット装置１２の一端でスクリューを回すとすれば、ユーザは親指及び人さし指で、モンキーレンチの本体１０のラチェット装置１２に近付く一端におけるネックを握る。それで、快速往復に回すことにより、スクリューをワークに締め付ける。残念ながら、滑り止めハンドルの保護カバー２０がモンキーレンチの本体１０のネックに覆わなかった。つまり、モンキーレンチの本体１０のネックはすべっこいので、滑り止め効果を提供することがない。ユーザの手がいつもモンキーレンチの本体１０から滑り脱げて、手と異物との当たりことで、傷害を招くと言う欠点は生じる。
【０００５】
モンキーレンチの滑り止めハンドルの保護カバー２０の中段には、ハンドル１１が凹むように設けられるが、提供される滑り止め効果はあまり限られる。規則の凹凸滑り止め段ならば、特別の方向性がある。図示するように、横方向に沿って延伸してあるので、縦方向から力を施すときしか、滑り止め効果を提供できない。つまり、横方向から力を施すときに、滑り止め効果を提供することができない。しかし、モンキーレンチの使用は大体、横方向の振り操作だから、それをしたら、手から滑り脱げる危険性がある。
【０００６】
それに対して、ユーザは、もうすぐ締められるスクリューを回すときに、親指及び人さし指で、モンキーレンチの本体１０のラチェット装置１２に遠く離れる一端におけるネックを握る。それで、大きな回し作動力で、スクリューをワークに締め付ける。残念ながら、滑り止めハンドルの保護カバー２０がモンキーレンチの本体１０のネックに覆わなかった。つまり、モンキーレンチの本体１０のネックはすべっこいので、滑り止め効果を提供することができない。ユーザの手がいつもモンキーレンチの本体１０から滑り脱げて、手と異物との当たりことで、傷害を招くと言う欠点は生じる。
【０００７】
また、滑り止めハンドルの保護カバー２０がモンキーレンチの本体１０のネックに完全に覆われても、欠点は依然として存在してある。ゴム又はプラスチックでつくられる滑り止めハンドルの保護カバー２０の材質は軟らかいので、金属製のツールと衝撃したあとで、傷害、破損が生じやすいし、滑り止め効果がだんだん低降されると言う欠点を招く。また、ゴム材質の滑り止めハンドルの保護カバー２０は油で漬ければ、いつも変質し、脆くて弱い。要するに、滑り止めハンドルの保護カバー２０は損壊し、滑り止め効果を失うと言う欠点がある。
【０００８】
その他、前記従来構造は、滑り止めの設計が直接に、モンキーレンチ１０の本体１０に設計しなかったということはわかる。その代わり、モンキーレンチ１０の本体１０に、別に上下の固定溝１１１、１１２又は貫通穴１１３又はスクリューホール１１４を設置する。それで、それぞれ異なる滑り止めハンドルの保護カバー２０、２０′を取り付ける。そんな複雑の構造設計は製造コストの負担になり、モンキーレンチの本体１０の滑り脱げ問題を本当に解決することができない。よって、産業利用に合わないので、研究、開発、改善しなければならない。
【考案の開示】
【考案が解決しようとする課題】
【０００９】
本考案の目的は、ハンドルに滑り止め構造を直接設けるモンキーレンチを提供することにある。
【課題を解決するための手段】
【００１０】
前述した目的を達成するために、本考案による滑り止め構造を持つモンキーレンチは、ハンドルと滑り止め部位を含む。ハンドルの表面には、二つの握り面及び当該二つの握り面に隣接する側面が形成される。ハンドルの端部には、駆動ヘッドが設けられ、スクリューを回す。滑り止め部位は、不規則な紋を有し、ハンドルの握り面に設けられる。滑り止め部位は、ユーザの親指と人さし指との間に、無方向性の摩擦抵抗力を提供する。そうすると、ユーザは快速に、繰り返すように回しているうちに、又は大きな力を施しているうちに、立派な握り安定性が得られて、滑り脱げの恐れがなかった。また、滑り止め部位が直接にハンドルに設置するので、製造のコストを有効的に省くばかりでなく、滑り止め効果も延長される。
【考案の効果】
【００１１】
本考案は、ハンドルに滑り止め構造を直接設けるモンキーレンチを提供する。
【考案を実施するための最良の形態】
【００１２】
次に、添付した図面を参照しながら、本考案の好適な実施形態を詳細に説明する。
【００１３】
まず、図１−図４を参照する。本考案のモンキーレンチは、主にハンドル１０及びハンドル１０に直接設置する滑り止め部位１３を含む。
【００１４】
ハンドル１０の両端には、それぞれ一つの駆動ヘッド１１が設けられる。駆動ヘッド１１の中には、回し作動部１１１が設けられ、回し作動の作業を行う。ハンドル１０の表面には、二つの握り面１０１及び二つの握り面１０１と隣接する二つの側面１０２が形成される。握り面１０１には、広さAがある。側面１０２には、広さBがある。握り面１０１の広さAは側面１０２の広さBより大きい。握り面１０１は、駆動ヘッド１１の上下の二つの水平面に対応する。側面１０２は、駆動ヘッド１１の外周側弧面に対応する。本実施例では、図３に示すように、握り面１０１は凸弧面を採用し、側面１０２は平面を採用する。
【００１５】
滑り止め部位１３は、ハンドル１０の二つの握り面１０１に設けられ、ハンドル１０に、無方向性の摩擦抵抗力を提供する。滑り止め部位１３は、不規則形状の凹凸紋である。また、滑り止め部位１３の両側は、握り面１０１と側面１０２との隣接箇所１０３へ向かって延伸し、隣接箇所１０３と隙間を保持する。滑り止め部位１３は直接にハンドル１０に設置され、適当な深さを有するので、立派な強度を持つ。それで、異物に当たっても、破損しにくい。つまり、長い間に、優れた滑り止め効果を確保することができる。覆われるタイプのカバーの破損、脱落などの恐れは生じない。
【００１６】
図２、図４を参照する。それは、スクリュー８０を締めていない使用状態である。ユーザは、締めないスクリュー８０を回すときに、必要な作動力が小さい。そのときに、親指９１及び人さし指９２をそれぞれ、ハンドル１０のスクリュー８０に近付く一端における滑り止め部位１３に握り、短いアームで作動する。そうすると、短い振り距離（弧の長さ）で、快速に、スクリュー８０をワークに締める。
【００１７】
この場合、滑り止め部位１３は、ユーザの親指９１と人さし指９２との間に、無方向性の摩擦抵抗力を提供するので、ユーザは、快速往復に回しても、滑りぬける問題がない。ユーザの手９０が油又は汚れにつけても、滑りぬけの欠点もない。
【００１８】
図５を参照する。それは、もうすぐスクリュー８０を締める使用状態である。ユーザは、もうすぐ締められるスクリュー８０を回すときに、必要な作動力がより大きい。そのときに、親指９１及び人さし指９２は、それぞれ、ハンドル１０のスクリュー８０に遠く離れる一端における滑り止め部位１３に握り、長いアームで作動する。そうすると、より大きい回し作動力で、安定かつ丈夫に、スクリュー８０をワークに締める。
【００１９】
滑り止め部位１３は、ユーザの親指９１と人さし指９２との間に、無方向性の摩擦抵抗力を提供するので、ユーザは、大きい力で、快速往復に回しても、優れた握りの安定性を得て、滑りぬける問題がない。ユーザの手９０が油又は汚れにつけても、安定かつ丈夫に、ハンドル１０を握り、滑りぬけの欠点もない。
【００２０】
図６、図７を参照する。それは、本案の第二種使用例である。前記図２、図３との相違点は、使用される駆動ヘッド１１が異なる。前述の使用例の駆動ヘッド１１ならば、ラチェット(ratchet)形態の回し作動部１１１で、スクリュー８０を回すが、本使用例の駆動ヘッド１１ならば、開口形態の回し作動部１１１で、スクリュー８０を回す。滑り止め部位１３は前掲使用例の効果を提供し、滑り脱げを防ぐ効果を遂げる。
【００２１】
図８を参照する。それは、本案の第二実施例である。本実施例と前掲の第一実施例がほぼ同じだが、異なるポイントは滑り止め部位１３の設計が異なる。本実施例の滑り止め部位１３の両側は、握り面１０１と側面１０２との隣接箇所１０３まで延伸し、（図９の示すような断面）、隙間を予め用意しない。そうすると、滑り止め部位１３は、ハンドル１０に、もっと大きな滑り止め面積を提供し、優れた滑り止め効果を達成する。
【００２２】
図１０を参照する。それは、本案の第三実施例である。本実施例と第一実施例が同じだが、主な差異は、握り面１０１がただ局部に滑り止め部位１３を設けることである。滑り止め部位１３は、ハンドル１０の駆動ヘッド１１に近付く二つの握り面１０１に設けられる。滑り止め部位１３は、駆動ヘッド１１と握り面１０１との接続箇所から、ハンドル１０の中段へ向かって、縦方向に沿って延伸し、適当な距離Xを具有する。滑り止め部位１３の縦方向距離Xはハンドル１０の異なるサイズに応じて変更される。ところが、そんな距離の範囲ならば、手のひらにおける親指の平均長さより大きい又は等しく、前掲平均長さの両倍より小さい又は等しい。そんな距離Xの範囲は、ハンドル１０の全部長さの四分の一を採用してもよい。
【００２３】
図１１、図１１Ａを参照する。それは、本案の第四実施例である。本例は、ほぼ前掲の第三実施例とおなじである。両者の差異は、滑り止め部位１４が不規則形状の幾何図形を持ち、不規則状の凹凸紋に排列する。それで、滑り止め部位１４も同様に、無方向性の摩擦抵抗力を提供するので、ユーザは大きい力で、快速往復に回しても、優れた握りの安定性を得て、滑りぬける問題がない。
【００２４】
図１２を参照する。それは、本案の第五実施例である。本例と前掲の第四実施例は、ほぼ同じである。異なるポイントは、滑り止め部位１４の両側が握り面１０１と側面１０２との隣接箇所１０３へ向かって延伸し（図９を参照）、隙間を予め用意しない。
【００２５】
図１３、図１３Ａを参照する。それは、本案の第六実施例である。本例は、ほぼ前掲の第四実施例とおなじである。両者の差異は、滑り止め部位１５が不規則形状の幾何図形を持ち、不規則状の凹凸紋に排列する。それで、滑り止め部位１５も同様に、無方向性の摩擦抵抗力を提供するので、ユーザは大きい力で、快速往復に回しても、優れた握りの安定性を得て、滑りぬける問題がない。
【００２６】
図１４、図１５を参照する。それは、本案の第七実施例である。本例と前掲の第一実施例は、ほぼ同じである。両者の差異は、ハンドル１０の一端に駆動ヘッド１１を設けて、ハンドル１０のもう一端にハンドルの保護カバー１６を設けることである。
【００２７】
以上、本考案の好ましい実施形態を説明したが、本考案はこの実施形態に限定されず、本考案の趣旨を離脱しない限り、本考案に対するあらゆる変更は本考案の範囲に属する。
【図面の簡単な説明】
【００２８】
【図１】本考案のモンキーレンチの外観図である。
【図１Ａ】図１の局部拡大図であり、その滑り止め部位は不規則形状の幾何図形を持ち、不規則状の凹凸紋に排列する。
【図２】締められていないスクリューに使用している状態を示す図面である。
【図３】本考案の第一実施例のハンドルを示す断面図である。
【図４】締められていないスクリューに使用している状態を示す図面である。
【図５】もうすぐ締められるスクリューに使用している状態を示す図面である。
【図６】本考案の第二の使用状態図である。
【図７】本考案の第二の使用状態図である。
【図８】本考案の第二実施例に係るモンキーレンチの外観図である。
【図９】本考案の第二実施例のハンドルを示す断面図である。
【図１０】本考案の第三実施例の外観図である。
【図１１】本考案の第四実施例に係るモンキーレンチの外観図である。
【図１１Ａ】図１１の局部拡大図であり、その滑り止め部位は不規則形状の幾何図形を持ち、不規則状の凹凸紋に排列する。
【図１２】本考案における第五実施例に係るモンキーレンチの外観図である。
【図１３】本考案における第六実施例に係るモンキーレンチの外観図である
【図１３Ａ】図１３の局部拡大図であり、その滑り止め部位は不規則形状の幾何図形を持ち、不規則状の凹凸紋に排列する。
【図１４】本考案の第七実施例に係るモンキーレンチの上視図である。
【図１５】本考案の第七実施例に係るモンキーレンチの下視図である。
【符号の説明】
【００２９】
１０          ハンドル
１０１        握り面
１０２        側面
１０３        隣接箇所
１１          駆動ヘッド
１１１        回し作動部
１３          滑り止め部位
１４          滑り止め部位
１５          滑り止め部位
１６          ハンドルの保護カバー
８０          スクリュー
９０          手
９１          親指
９２          人さし指
Ａ、Ｂ        広さ
Ｘ            距離
【図１】
0003129291.tif 000003
【図１Ａ】
0003129291.tif 000004
【図２】
0003129291.tif 000005
【図３】
0003129291.tif 000006
【図４】
0003129291.tif 000007
【図５】
0003129291.tif 000008
【図６】
0003129291.tif 000009
【図７】
0003129291.tif 000010
【図８】
0003129291.tif 000011
【図９】
0003129291.tif 000012
【図１０】
0003129291.tif 000013
【図１１】
0003129291.tif 000014
【図１１Ａ】
0003129291.tif 000015
【図１２】
0003129291.tif 000016
【図１３】
0003129291.tif 000017
【図１３Ａ】
0003129291.tif 000018
【図１４】
0003129291.tif 000019
【図１５】
0003129291.tif 000020